(57)【要約】【課題】磁気ヘッドの支持部の剛性を高め、振動や衝撃に対する磁気ヘッドの変位を低減し、アンロード動作を行う際に必要な駆動電力が増大させず、光磁気記録装置の高さを低減する。【解決手段】光磁気記録媒体２に磁界を印加する磁気ヘッド３と、前記磁気ヘッド３を先端に保持し、平板状で弾性変形部を形成した支持部と、前記支持部の前記弾性変形部よりも後方を変位させる駆動部とを備え、前記支持部において前記弾性変形部よりも後方の変位により前記弾性変形部の前方を下降／上昇させることにより、前記磁気ヘッドの前記媒体上へのロード／アンロード動作を行う。【選択図】      図１
2004227687.tif 000002
【特許請求の範囲】
【請求項１】
光磁気記録媒体に磁界を印加する磁気ヘッドと、前記磁気ヘッドを先端に保持し、平板状で弾性変形部を形成した支持部と、前記支持部の前記弾性変形部よりも後方を変位させる駆動部とを備え、前記支持部において前記弾性変形部よりも後方の変位により前記弾性変形部の前方を下降／上昇させることにより、前記磁気ヘッドの前記媒体上へのロード／アンロード動作を行うことを特徴とする磁気ヘッド支持機構。
【発明の詳細な説明】
【０００１】
【発明の属する技術分野】
本発明は、光磁気記録媒体に磁気ヘッドによって磁界を印加すると同時に、光ピックアップによって光ビームを照射することにより情報信号を記録する光磁気記録装置、特に光磁気記録媒体に情報信号で変調された磁界を印加する磁気ヘッド支持機構の改良に関するものである。
【０００２】
【従来の技術】
従来、光磁気記録層を有する光磁気記録媒体に磁界を印加すると同時に、磁界の印加部分に光ビームを照射することで情報信号の記録を行う光磁気記録装置が知られている。この光磁気記録装置の記録方式としては、所望強度の光ビームを照射しながら記録すべき情報信号に応じて印加磁界の向きを反転させることによって情報信号を記録する磁界変調方式がある。このような磁界変調方式は、例えば、ＭＤ（ミニディスク）の装置等で採用されてきている。
【０００３】
一般に磁界変調方式の光磁気記録装置においては、光磁気記録媒体の一方の側に配置された光ピックアップにより光ビームを光磁気記録層に微小な光スポットに集光して照射し、他方の側に配置された磁気ヘッドにより光スポットを含む領域に磁界を印加する。また情報信号の記録時には磁気ヘッドは光磁気記録媒体上にロード（押圧）され、情報信号の記録を行わない時、特に光磁気記録媒体を装置に挿入または排出する動作を行う際には、磁気ヘッドは光磁気記録媒体上からアンロード（退避）される。
【０００４】
次に、従来の磁界変調方式の光磁気記録装置の概略構成を図１０、図１１に基づいて説明する。図１０は、磁気ヘッド支持機構において光磁気ディスク上に磁気ヘッド３がロードされている状態を示す図、図１１は、磁気ヘッド３がアンロードされている状態を示す図である。また、それぞれ（ａ）は側面から、（ｂ）は上面から見た図である。
【０００５】
図中、１はカートリッジ、２はカートリッジに内包された光磁気記録媒体である光磁気ディスク、３は磁気ヘッド、５は光ピックアップである。カートリッジ１には光磁気ディスク２を露出させるように一部に開口６が形成され、開口６内において磁気ヘッド３は光磁気ディスク２の上面側に、光ピックアップ５は下面側に対向して配置され、両者は連結部材７により連結されている。
【０００６】
磁気ヘッド３には磁界発生部である磁極１３が設けられ、磁極１３から発生する磁界を光磁気ディスク２に印加する。また光ピックアップ５は光磁気ディスク２に光ビームの光スポットを形成する。磁気ヘッド３をロードした状態において、磁極１３による磁界の印加領域の中心と光ピックアップ５が形成する光スポットの位置が一致するように磁気ヘッド３と光ピックアップ５の位置が調整されている。
【０００７】
磁気ヘッド３の支持手段はロードビーム４１、第１の板ばね４２及び第２の板バネ４３で構成されている。ロードビーム４１の一端は第１の板バネ４２を介してベース板４４に結合され、他端には第２の板バネ４３を介して磁気ヘッド３が取り付けられている。ここで、磁気ヘッド３はカートリッジ１に形成した開口６内において光磁気ディスク２上にロードされるので、磁気ヘッド３を支持するロードビーム４１はカートリッジ１の上面の上方から開口６に向かって傾斜する形状となる。
【０００８】
４５は磁気ヘッドをロード／アンロードするためにロードビーム４１を駆動する駆動手段としての昇降シャフトであり、ロードビーム４１の下方に配置され、図示しないリンク機構を介して結合された駆動源によって光磁気ディスク２に平行な矢印Ｇ及びＨで示す方向に往復スライド駆動される。
【０００９】
次に磁気ヘッド３のロード／アンロード動作について説明する。まず磁気ヘッド３をロードする場合には、図１０に示すように昇降シャフト４５は矢印Ｇで示す方向にスライド駆動され、ロードビーム４１から離間する。これによりロードビーム４１は下方に傾斜し、磁気ヘッド３は第１の板バネ４２及び第２の板バネ４３の付勢力により一定の荷重で光磁気ディスク２の上面に押圧される。さらに磁気ヘッド３をアンロードする場合には、図１１に示すように昇降シャフト４５は矢印Ｈで示す方向にスライド駆動され、ロードビーム４１に当接し、第１の板バネ４２を弾性変形させながら押し上げる。図示するように磁気ヘッド３はカートリッジ１の上面よりも上方に退避され、アンロード動作を完了する。
【００１０】
ところで近年、このような光磁気記録装置において、情報信号の記録速度の向上に対する要求が高まりつつある。情報信号の記録速度を向上するには、それに伴って磁界の変調周波数を高くする必要が生じる。このため磁気ヘッド３は磁極１３の磁界発生面（光磁気ディスク２との対向面）の面積を小さくすることによってインダクタンスを小さくしなければならない。この時、磁界の印加領域も縮小するので、光ピックアップ５が形成する光スポットとの間のより高い位置精度が必要となる。
【００１１】
また、このような光磁気記録装置を用いた携帯用機器の普及とともに、装置の小型化、特に薄型化に対する要求も高まりつつある。
【００１２】
【発明が解決しようとする課題】
上記従来技術のように、一般的に板バネからなる支持手段によって磁気ヘッドを保持する構成の場合、装置の外部から加わる振動や衝撃によって、磁気ヘッド３はロードされた状態において光磁気ディスク２に平行な方向への変位を生じる。更に、磁気ヘッド３を支持するロードビーム４１がカートリッジ１の上面の上方から開口６に向かって傾斜する形状であるため、図１２の磁気ヘッド支持機構の拡大図に示すように光磁気ディスク２の厚さのばらつきや回転に伴う面振れ等によって、その上面が垂直方向に変位するときに、磁気ヘッド３は同時に光磁気ディスク２に平行な方向へも変位する。
【００１３】
ここで、光磁気ディスク２の垂直方向の変位量がΔＺであるとき、ロードビーム４１が光磁気ディスク２と成す角がθ１からθ２へ変化したとすると、それに伴う磁気ヘッド３の水平方向の変位量ΔＸは次の式（１）で表される。
【００１４】
ΔＸ＝ΔＺ×ｔａｎ〔（θ１＋θ２）／２〕      ・・・式（１）
このような磁気ヘッド３の振動や衝撃による変位又は垂直方向の変位に伴う水平方向の変位によって磁界の印加領域も光ピックアップ５の形成する光スポットに対して変位する。そこで、例えこのような変位を生じても、磁界の印加領域内に光スポットが形成されるように磁界の印加領域は想定される変位量も見込んだ十分な広さを有していなければならない。通常、この磁界の印加領域の大きさは磁気ヘッド３の磁極１３の磁界発生面の大きさにほぼ等しい。つまり、磁界発生面の寸法の下限は磁気ヘッド３の水平方向の変位量によって定まり、このため磁気ヘッド３のインダクタンスを十分に低減することができず、これが情報信号の記録速度向上の障害となるのである。
【００１５】
そこで、このような課題を解決するために、仮に第１の板バネ４２の剛性をより大きくしたとする。第１の板バネ４２に支持されるロードビーム４１は、変位（角度の変化）を生じにくくなるから、振動や衝撃に対する磁気ヘッド３の変位を低減できることが期待できる。またカートリッジ１に形成した開口６内において、光磁気ディスク２により近接し、ロードビーム４１よりも小さい傾斜角で第２の板バネ４３によって磁気ヘッド３を支持すれば、磁気ヘッド３の垂直方向の変位に伴う水平方向の変位を低減することも期待できる。
【００１６】
しかしながら、第１の板バネ４２の剛性を大きくする程、アンロード動作を行う際に必要な駆動力が増すために駆動源の消費電力が増大したり、第１の板バネ４２の弾性変形可能な範囲内でカートリッジ１の上面よりも上まで完全に磁気ヘッド３を退避させることが困難になる等の課題を生じる。従って、このような改良にもやはり限界があり、情報信号の記録速度を向上することができなかった。
【００１７】
また上記の例のように従来の光磁気記録装置においては、磁気ヘッドのロード／アンロード動作のために、昇降シャフト等の駆動手段を磁気ヘッドのロードビーム等の支持手段の下降傾斜部分の下方に配置し、アンロード時には駆動手段を支持手段に当接させて昇降駆動する方式が一般的であった。
【００１８】
しかしながら、このような構成であると、磁気ヘッドの支持手段に重なって配置される駆動手段の構成部材の高さ方向の寸法に加え、その駆動時の変位のためにはカートリッジなど他の部材との間の十分なクリアランスも確保する必要があり、このため光磁気記録装置の高さを低減することができないという問題点もあった。
【００１９】
本発明は、上記従来の問題点に鑑みなされたもので、その目的は、磁気ヘッドの支持部の剛性を高め、振動や衝撃に対する磁気ヘッドの変位を低減し、アンロード動作を行う際に必要な駆動電力が増大させないことで、磁気ヘッドの磁界発生面の面積を低減でき、情報信号の記録速度を向上することを可能にし、また光磁気記録装置の高さを低減することができる光磁気記録装置、及び携帯用機器に適した薄型の光磁気記録装置を提供することにある。
【００２０】
【課題を解決するための手段】
上述の課題を解決するため、本発明の磁気ヘッド支持機構は、光磁気記録媒体に磁界を印加する磁気ヘッドと、前記磁気ヘッドを先端に保持し、平板状で弾性変形部を形成した支持部と、前記支持部の前記弾性変形部よりも後方を変位させる駆動部とを備え、前記支持部において前記弾性変形部よりも後方の変位により前記弾性変形部の前方を下降／上昇させることにより、前記磁気ヘッドの前記媒体上へのロード／アンロード動作を行うことを特徴とする。
【００２１】
【発明の実施の形態】
次に、本発明の実施の形態について図面を参照して詳細に説明する。
【００２２】
［第１の実施形態］
図１、図２、図３、図４、図５は本発明による磁気ヘッド支持機構の第１の実施形態を示す図であり、図１はロード状態を示す図、図２はアンロード状態を示す図、図３はロード状態を示す斜視図、図４はアンロード状態を示す斜視図、図５は後述する第２の支持部の応力状態を示す図である。図１、図２においてそれぞれ（ａ）は側面から見た図、（ｂ）は上面から見た図、（ｃ）は（ｂ）のＣ−Ｃ断面図である。
【００２３】
図中、１はカートリッジ、２はカートリッジに内包された光磁気記録媒体である光磁気ディスク、３は磁気ヘッド、４は磁気ヘッド３を保持する支持機構、５は光ピックアップである。カートリッジ１には光磁気ディスク２を露出させるように一部に開口６が形成され、開口６内において磁気ヘッド３は光磁気ディスク２の上面側に、光ピックアップ５は下面側に対向して配置される。支持機構４と光ピックアップ５は連結部材７により連結されている。また８は磁気ヘッド３をロード／アンロードする際に支持機構４を駆動する駆動手段である。
【００２４】
ここで支持機構４は、第１の支持部９、第２の支持部１０、及びベース板１１から構成される。磁気ヘッド３は第１の支持部９の先端に保持され、第１の支持部９は磁気ヘッド３と共に第２の支持部１０によって保持される。さらに第２の支持部１０はベース板１１に、ベース板１１は連結部材７に取り付けられている。磁気ヘッド３には磁極１３が設けられ、磁気ヘッド３をロードした状態において、磁極１３による光磁気ディスク２への磁界の印加領域の中心と、光ピックアップ５が形成する光スポットの位置が一致するように位置調整されている。なお、本実施形態においては、連結部材７とベース板１１は各々別部品として構成しているが、一体で形成することも可能である。
【００２５】
第１の支持部９及び第２の支持部１０は、それぞれ平板状の板バネから成り、結合部材１２を介して結合されている。第１の支持部９の大部分はカートリッジ１の開口６内に配置される。また第２の支持部１０は中心線１４に関して対称な２つの部分１０ａ及び１０ｂから構成され、第２の支持部１０ａと１０ｂは中心線１４上の連結部１５で連結されている。
【００２６】
第２の支持部１０ａ，１０ｂはそれぞれ先端の方が幅が狭く、また弾性変形が可能な屈曲部１６ａ，１６ｂが形成されており、磁気ヘッド３を光磁気ディスク２上にロードした状態において、屈曲部１６ａ，１６ｂより前方（磁気ヘッド３を保持する側）がカートリッジ１の上面の上方より開口６に向かって下方に傾斜し、屈曲部１６ａ，１６ｂよりも後方（磁気ヘッド３を保持しない側）はカートリッジ１の上面の上方に位置し、光磁気ディスク２に対して略平行であるように配置されている。
【００２７】
また屈曲部１６ａと１６ｂにおける折り曲げ線は、磁気ヘッドが光磁気記録媒体上へのロード（押圧）／アンロード（退避）動作時に描く円弧状軌跡を含む平面に対して垂直ではないようにしている。すなわち、中心線１４に対して垂直ではなく、中心線１４に対して９０度よりも小さい角度を成して後方を向いている。これにより第２の支持部１０ａと１０ｂの屈曲部１６ａ，１６ｂより前方は、断面図である図１（ｃ）に示すように、山型状（Λ字状）で中心線１４を稜線として両側に下降傾斜するように屈曲しているが、結合部材１２によって先端部が固定されているため、先端に近づくにつれてねじれ変形を生じており、結合部材１２に結合される位置においては第２の支持部１０ａと１０ｂは平行となっている。これにより磁気ヘッドのロード状態における支持部の剛性は高まり、磁気ヘッドの変位を抑制することができる。
【００２８】
第２の支持部１０ａ，１０ｂの屈曲部１６ａ，１６ｂよりも後方には支持板１７ａ，１７ｂが取り付けられている。支持板１７ａには孔１８ａ、及び孔１８ａを中心とする円弧状のスリット１９ａが、支持板１７ｂには孔１８ｂ、及び孔１８ｂを中心とする円弧状のスリット１９ｂが形成され、また支持板１７ａと１７ｂは後部において湾曲形状の付勢バネ２０により連結されている。また金属板から成るベース板１１の上面には回動ピン２１、ガイドピン２２ａ、２２ｂが取り付けられている。
【００２９】
支持板１７ａ，１７ｂに形成された孔１８ａ及び１８ｂは、重なり合わせてベース板１１に設けられた回動ピン２１に嵌合され、またスリット１９ａ及び１９ｂはそれぞれベース板１１に設けられたガイドピン２２ａ及び２２ｂに係合されている。
【００３０】
また駆動手段８は付勢部材２３及び駆動シャフト２４から成る。付勢部材２３は付勢バネ２０の中間位置に取り付けられる。付勢部材２３には凸部（図示せず）が設けられ、ベース板１１に形成されたガイド部２５と係合することで、付勢部材２３はベース板１１に沿ってスライド可能に構成されている。また駆動シャフト２４と対向する側にはＶ溝が形成されている。駆動シャフト２４は図示しないリンク機構を介して駆動源、例えばモータなどと結合され、付勢部材２３のＶ溝部に当接して矢印Ａ及びＢで示す方向にスライド駆動される。
【００３１】
支持板１７ａと１７ｂは、付勢バネ２０によってその開き角が小さくなる方向に付勢されているが、付勢部材２３のスライドによって付勢バネ２０を変形させ、これにより支持板１７ａと１７ｂを回動ピン２１を中心とし光磁気ディスク２に平行な面内で回動させ、両者の開き角を変化させることができる。
【００３２】
次に磁気ヘッド３のロード／アンロード動作について説明する。まず磁気ヘッド３をロードする場合には、図１に示すように駆動シャフト２４を矢印Ａで示す方向に駆動して、付勢バネ２０が本来の湾曲形状に戻るまで付勢部材２３をスライドさせる。この時支持板１７ａ，１７ｂの開き角は最小となり、第２の支持部１０ａ，１０ｂは屈曲部１６ａ，１６ｂにおいて弾性変形を生じない本来の形状、即ち屈曲部１６ａ，１６ｂより前方が下降傾斜し、中心線１４より両側が下降傾斜する形状となる。その結果、磁気ヘッド３は第１の支持部９と第２の支持部１０の付勢力によって、光磁気ディスク２上に押圧される。
【００３３】
磁気ヘッド３のロード状態においては、断面図である図１（ｃ）に示すように、第２の支持部１０ａ，１０ｂの屈曲部１６ａ，１６ｂよりも前方は、山型状（Λ字状）で中心線１４を稜線として両側に下降傾斜するように屈曲しているので、第２の支持部１０ａと１０ｂが平行である場合と比較して、第２の支持部１０全体の剛性は中心線１４の方向に非常に高くなるのである。
【００３４】
次に磁気ヘッド３をアンロードする場合には、図２に示すように駆動シャフト２４を矢印Ｂで示す方向に駆動し、付勢バネ２０の付勢に抗して付勢部材２３をスライドさせて付勢バネを直線状に変形させる。これにより支持板１７ａ，１７ｂの開き角は最大となる。このように支持板１７ａと１７ｂの開き角を大きくする方向に回動する時、支持板１７ａと１７ｂに取り付けられた第２の支持部１０ａと１０ｂが回動軸である回動ピン２１の回りに回動しようとする方向は逆方向であるから、図５に示すとおり、第２の支持部１０ａと１０ｂの屈曲部１６ａ，１６ｂよりも前方の連結部１５においては、互いに押し合う応力が作用する．第２の支持部１０ａから第２の支持部１０ｂに作用する応力をＦａ、第２の支持部１０ｂから第２の支持部１０ａに作用する応力をＦｂとする。この応力ＦａとＦｂの作用によって第２の支持部１０ａ，１０ｂは屈曲部１６ａ，１６ｂを弾性変形させつつ回動し、前方が上昇して磁気ヘッド３がＥで示す円弧状の軌跡を描いて光磁気ディスク２から離間し、カートリッジ１の上面よりも上まで上昇してアンロード動作を完了する。
【００３５】
上記の実施の形態におけるアンロード動作における第２の支持部１０の変形についてさらに詳しく説明する。ここで図１，２，５に示すように光磁気ディスク２に垂直な方向をＺ、光磁気ディスク２に平行で第２の支持部１０の中心線１４に垂直な方向をＹ、Ｙ及びＺに垂直な方向をＸとする。アンロード動作時には、図２（ａ）においてＥで示すように磁気ヘッド３（中心線１４）はＸＺ平面内において円弧状の軌跡を描いて変位する。支持板１７ａと１７ｂはＸＺ平面について対称であるから、その際に連結部１５に作用する応力ＦａとＦｂはＹ方向に平行であって、大きさは等しく互いに逆向きである。第２の支持部１０ａ，１０ｂは前述のように中心線１４から両側が下降傾斜する形状であり、Ｙ方向に平行ではない。従って応力Ｆａは、第２の支持部１０ｂに対して垂直な成分Ｆａ１と平行な成分Ｆａ２として作用し、また応力Ｆｂは、第２の支持部１０ａに対して垂直な成分Ｆｂ１と平行な成分Ｆｂ２として作用する。
【００３６】
ここで応力の成分Ｆａ１は、第２の支持部１０ｂの屈曲部１６ｂを成す折り曲げ線の回りの上方向（光磁気ディスクから遠ざかる方向）のモーメントとして作用し、応力の成分Ｆｂ１は、第２の支持部１０ａの屈曲部１６ａを成す折り曲げ線の回りの上方向のモーメントとして作用する。その結果第２の支持部１０ａ，１０ｂは屈曲部１６ａ，１６ｂにおいて弾性変形を生じ、前方が回動しながら上昇するのである。
【００３７】
ここで第２の支持部１０ａ，１０ｂの屈曲部１６ａと１６ｂにおける折り曲げ線は、中心線１４に対して垂直ではなく、また固定されていないので、第２の支持部１０ａ，１０ｂの前方が上方へ回動すると同時に、屈曲部１６ａ，１６ｂにおける折り曲げ線も回動ピン２１の周囲に回動する。従ってロード状態においては第２の支持部１０の前方が高い剛性を有する形状であるにもかかわらず、その剛性に逆らうことなく駆動することができるのである。これにより磁気ヘッドのロード状態における支持部の剛性は高められるにもかかわらず、アンロード動作を行う際に必要な駆動力が増大することはなく、また支持部の弾性変形可能な範囲内で完全に磁気ヘッドを退避させることが可能となる。
【００３８】
このような動作を実現するには、第２の支持部１０ａ，１０ｂの屈曲部１６ａ，１６ｂよりも前方に作用し、しかも屈曲部１６ａ，１６ｂにおける折り曲げ線の回りのモーメントとして作用する応力の成分、即ち折り曲げ線に対して垂直な方向の応力の成分が必要である。Ｙ方向に発生する応力が、屈曲部１６ａ，１６ｂにおける折り曲げ線に対して垂直な成分を有するためには、屈曲部１６ａ，１６ｂにおける折り曲げ線は、少なくともＹ方向に平行（ＸＺ平面に垂直）であってはならないのである。
【００３９】
さらには屈曲部１６ａ，１６ｂにおける折り曲げ線は、固定されておらず、変位する（本実施形態においては回動ピン２１を中心として回動する）ことが可能な自由度を有していなければならない。
【００４０】
［第２の実施形態］
図６、図７、図８、図９は本発明による磁気ヘッド支持機構の第２の実施形態を示す図であり、図６はロード状態を示す図、図７はアンロード状態を示す図、図８はロード状態を示す斜視図、図９はアンロード状態を示す斜視図である。図６、図７においてそれぞれ（ａ）は側面から見た図、（ｂ）は上面から見た図、（ｃ）は（ｂ）のＤ−Ｄ断面図である。
【００４１】
図中、１はカートリッジ、２はカートリッジに内包された光磁気記録媒体である光磁気ディスク、３は磁気ヘッド、４は磁気ヘッド３を保持する支持機構、５は光ピックアップである。カートリッジ１には光磁気ディスク２を露出させるように一部に開口６が形成され、開口６内において磁気ヘッド３は光磁気ディスク２の上面側に、光ピックアップ５は下面側に対向して配置される。支持機構４と光ピックアップ５は連結部材７により連結されている。また８は磁気ヘッド３をロード／アンロードする際に支持機構４を駆動する駆動手段である。
【００４２】
ここで支持機構４は、第１の支持部９、第２の支持部１０、及びベース板１１から構成される。磁気ヘッド３は第１の支持部９の先端に保持され、第１の支持部９は磁気ヘッド３と共に第２の支持部１０によって保持される。さらに第２の支持部１０はベース板１１に、ベース板１１は連結部材７に取り付けられている。磁気ヘッド３には磁極１３が設けられ、磁気ヘッド３をロードした状態において、磁極１３による光磁気ディスク２への磁界の印加領域の中心と、光ピックアップ５が形成する光スポットの位置が一致するように位置調整されている。なお、本実施形態においては、連結部材７とベース板１１を各々別部材として構成しているが、一体で形成することも可能である。
【００４３】
第１の支持部９及び第２の支持部１０は、それぞれ平板状の板バネから成り、結合部材１２を介して結合されている。第１の支持部９の大部分はカートリッジ１の開口６内に配置される。また第２の支持部１０は中心線１４に関して対称な２つの部分１０ａ及び１０ｂから構成され、第２の支持部１０ａと１０ｂは中心線１４上の連結部１５で連結されている。第２の支持部１０ａ，１０ｂはそれぞれ先端の方が幅が狭く、また弾性変形が可能な屈曲部１６ａ，１６ｂが形成されており、磁気ヘッド３を光磁気ディスク２上にロードした状態において、屈曲部１６ａ，１６ｂより前方（磁気ヘッド３を保持する側）がカートリッジ１の上面の上方より開口６に向かって下方に傾斜し、屈曲部１６ａ，１６ｂよりも後方（磁気ヘッド３を保持しない側）はカートリッジ１の上面の上方に位置し、光磁気ディスク２に対して略平行であるように配置されている。
【００４４】
また屈曲部１６ａと１６ｂにおける折り曲げ線は、磁気ヘッドが光磁気記録媒体上へのロード（押圧）／アンロード（退避）動作時に描く円弧状軌跡を含む平面に対して垂直ではないようにしている。すなわち、中心線１４に対して垂直ではなく、中心線１４に対して９０度よりも小さい角度を成して後方を向いている。これにより第２の支持部１０ａと１０ｂの屈曲部１６ａ，１６ｂより前方は、断面図である図５（ｃ）に示すように、山型状（Λ字状）で中心線１４を稜線として両側に下降傾斜するように屈曲しているが、結合部材１２によって先端部が固定されているため、先端に近づくにつれてねじれ変形を生じており、結合部材１２に結合される位置においては第２の支持部１０ａと１０ｂは平行となっている。これにより磁気ヘッドのロード状態における支持部の剛性は高まり、磁気ヘッドの変位を抑制することができる。
【００４５】
第２の支持部１０ａ，１０ｂの屈曲部１６ａ，１６ｂよりも後方には支持板１７ａ，１７ｂが取り付けられている。支持板１７ａ，１７ｂにはそれぞれ孔２６ａ，２６ｂと、上面に凹部２７ａ，２７ｂが形成されている。また支持板１７ａと１７ｂとベース板１１は付勢バネ２８ａ，２８ｂにより連結されている。ベース板１１には、支持板１７ａ，１７ｂの孔２６ａ，２６ｂに挿通するシャフト２９が取り付けられ、支持板１７ａ，１７ｂはシャフト２９の回りに回動可能である。シャフト２９は略中心線１４上にある。
【００４６】
また駆動手段８は付勢部材２３及び付勢部材２３に設けられた孔３０に挿通された駆動シャフト２４から成る。付勢部材２３にはガイド凸部３１が設けられ、ベース板１１に形成されたガイド部２５に沿ってスライド可能に係合され、また支持板１７ａ，１７ｂの凹部２７ａ，２７ｂに係合する凸部３２ａ、３２ｂが形成されている。駆動シャフト２４は図示しないリンク機構を介して駆動源、例えばモータなどと結合され、付勢部材２３とともに矢印Ａ及びＢで示す方向にスライド駆動される。そして、付勢部材２３に設けられた凸部３２ａ，３２ｂが、支持板１７ａ，１７ｂの凹部２７ａ，２７ｂを各々押圧することで、支持板１７ａと１７ｂをシャフト２９を中心として回動させて傾斜角を変化させることができる。また支持板１７ａと１７ｂは付勢バネ２８ａ，２８ｂによりベース板１１に引き寄せる方向に付勢されている。
【００４７】
次に、磁気ヘッド３のロード／アンロード動作について説明する。まず磁気ヘッド３をロードする場合には、図６に示すように付勢部材２３は矢印Ａの方向に、凸部３２ａ，３２ｂが支持板１７ａ，１７ｂの凹部の後方にスライド駆動される。そして、付勢バネ２８ａ，２８ｂの付勢力によって支持板１７ａ，１７ｂは回動し、ともに光磁気ディスク２に略平行となる。この状態において第２の支持部１０は屈曲部１６ａ，１６ｂにおいて弾性変形を生じない本来の形状、即ち屈曲部１６ａ，１６ｂより前方が下降傾斜し、屈曲部１６ａ，１６ｂより後方はディスク面に対し略平行な形状となる。その結果、磁気ヘッド３は第１の支持部９と第２の支持部１０の付勢力によって、光磁気ディスク２上に押圧される。
【００４８】
磁気ヘッド３のロード状態においては、断面図である図６（ｃ）に示すように、第２の支持部１０ａ，１０ｂの屈曲部１６ａ，１６ｂよりも前方は、山型状（Λ字状）で中心線１４を稜線として両側に下降傾斜するように屈曲しているので、第２の支持部１０ａと１０ｂが平行である場合と比較して、第２の支持部１０全体の剛性は中心線１４の方向に非常に高くなるのである。
【００４９】
次に、磁気ヘッド３をアンロードする場合には、図７に示すように付勢部材２３は矢印Ｂの方向に、凸部３２ａ，３２ｂが支持板１７ａ，１７ｂを十分に押し下げる位置までスライド駆動される。これにより、付勢バネ２８ａ，２８ｂの付勢力に抗して支持板１７ａ，１７ｂは回動し、両側が下降傾斜する形状となる。支持板１７ａと１７ｂがこのように回動する時、支持板１７ａと１７ｂに取り付けられた第２の支持部１０ａと１０ｂが回動軸であるシャフト２９の回りに回動しようとする方向は逆方向であるから、連結部１５において互いに押し合う方向の応力が作用する。第２の支持部１０ａから第２の支持部１０ｂに作用する応力をＦａ、第２の支持部１０ｂから第２の支持部１０ａに作用する応力をＦｂとする。この応力ＦａとＦｂの作用によって第２の支持部１０ａ，１０ｂは屈曲部１６ａ，１６ｂを弾性変形させつつ回動し、前方が上昇して磁気ヘッド３がＦで示す円弧状の軌跡を描いて光磁気ディスク２から離間し、カートリッジ１の上面よりも上まで上昇してアンロード動作を完了する。
【００５０】
本実施形態も第１の実施形態と同様に、ロード状態時の屈曲部１６ａ，１６ｂにおける折り曲げ線は、少なくともＹ方向に平行（ＸＺ平面に垂直）ではないので、図５に示すように応力Ｆａは、第２の支持部１０ｂに対して垂直な成分Ｆａ１と平行な成分Ｆａ２として作用し、また応力Ｆｂは、第２の支持部１０ａに対して垂直な成分Ｆｂ１と平行な成分Ｆｂ２として作用する。応力の成分Ｆａ１は、第２の支持部１０ｂの屈曲部１６ｂを成す折り曲げ線の回りの上方向（光磁気ディスクから遠ざかる方向）のモーメントとして作用し、応力の成分Ｆｂ１は、第２の支持部１０ａの屈曲部１６ａを成す折り曲げ線の回りの上方向のモーメントとして作用する。
【００５１】
また屈曲部１６ａ，１６ｂにおける折り曲げ線は、固定されておらず、変位する（本実施形態においてはシャフト２９を中心として回動する）ことが可能な自由度を有している。
【００５２】
その結果第２の支持部１０ａ，１０ｂは屈曲部１６ａ，１６ｂにおいて弾性変形を生じ、前方が回動しながら上昇するのである。そしてこの時、ロード状態においては第２の支持部１０の前方が高い剛性を有する形状であるにもかかわらず、その剛性に逆らうことなく駆動することができるのである。これにより磁気ヘッドのロード状態における支持部の剛性は高められるにもかかわらず、アンロード動作を行う際に必要な駆動力が増大することはなく、また支持部の弾性変形可能な範囲内で完全に磁気ヘッドを退避させることが可能となる。
【００５３】
ここで上記の実施形態においてはいずれも、第２の支持部１０ａ，１０ｂの屈曲部１６ａと１６ｂにおける折り曲げ線は、中心線１４に対して９０度よりも小さい角度を成して後方を向いているので、第２の支持部１０ａ，１０ｂの屈曲部１６ａ，１６ｂより前方は、山型状（Λ字状）に中心線１４を稜線として両側に下降傾斜するように屈曲している。この場合には第２の支持部１０ａと１０ｂの前方において互いに押し合う方向の応力を作用させれば、応力の成分は、第２の支持部１０ａ，１０ｂの前方において折り曲げ線の回りの上方向（光磁気ディスクから遠ざかる方向）のモーメントとして作用するので、第２の支持部１０ａ，１０ｂの前方は回動しながら上昇するのである。
【００５４】
さらには第２の支持部１０ａ，１０ｂの屈曲部１６ａと１６ｂにおける折り曲げ線は、中心線１４に対して９０度よりも小さい角度を成して前方を向くようにしてもよい。このとき第２の支持部１０ａ，１０ｂの屈曲部１６ａ，１６ｂより前方は、谷型状（Ｖ字状）に中心線１４を谷線として両側に上昇傾斜するように屈曲する。そこでこの場合には、第２の支持部１０ａと１０ｂの前方において互いに引き合う方向の応力を作用させれば、応力の成分は、第２の支持部１０ａ，１０ｂの前方において折り曲げ線の回りの上方向（光磁気ディスクから遠ざかる方向）のモーメントとして作用するので、第２の支持部１０ａ，１０ｂの前方は回動しながら上昇するのである。
【００５５】
なお、上記のいずれの実施形態においても、駆動シャフト２４は光磁気ディスク２の内外周に亘って十分な長さを有している。また付勢部材２３は駆動シャフト２４の挿通部または当接部において摺動可能であり、これにより磁気ヘッド３はロード状態及びアンロード状態のいずれにおいても、光ピックアップ５と一体的に光磁気ディスク２の任意の記録位置に移送することが可能である。
【００５６】
以上説明したように、本発明の第１、第２の実施形態による磁気ヘッド支持機構によれば、磁気ヘッドをロードした状態においては第２の支持部の剛性が高められ、振動や衝撃による第２の支持部の変位は抑制され、また光磁気記録媒体の垂直方向の変位に伴う第２の支持部の変位も抑制されて主に第１の支持部のみが変位する。しかも磁気ヘッドのアンロード動作時には、ロード状態における剛性に逆らうことなく第２の支持部を変位させることができるので、駆動手段の駆動力を増大する必要はない。
【００５７】
その結果、磁気ヘッドをロードした状態においては、装置に加わる振動や衝撃による磁気ヘッドの変位を抑制することができ、特に第１の支持部をカートリッジの開口内において光磁気記録媒体により近接し、平行またはそれに近い傾斜角で配置し、第２の支持部をカートリッジの上面の上方より開口に向かって傾斜して配置すれば、磁気ヘッドの垂直方向の変位に伴う水平方向の変位が低減できる。
【００５８】
しかも、磁気ヘッドのアンロード動作時における駆動源の消費電力が増大することはない。また、第２の支持部の弾性変形可能な範囲内でカートリッジの上面よりも上まで完全に磁気ヘッドを退避させることができる。
【００５９】
このように磁気ヘッドの水平方向の変位を低減できるので、磁界発生面の面積を小さくした場合でも、光スポットは磁界の印加領域内に形成でき、磁気ヘッドのインダクタンスを低減することができる。その結果、情報信号の記録速度を向上することができる。
【００６０】
さらに、磁気ヘッドの支持機構において、磁気ヘッドのロード／アンロード動作のための駆動手段が、第２の支持部の屈曲部よりも後部の光磁気ディスクに略平行な部分を駆動している。従って支持部の屈曲部よりも前方、すなわち回動変位する下降傾斜部分とカートリッジの間に駆動手段を配置する従来装置に比較し、構成部材の寸法や、駆動時の変位のためカートリッジなど他の部材との間に必要なクリアランス等によって制限されることなく、光磁気記録装置の高さを低減し、携帯用機器に適するように薄型化することができるのである。
【００６１】
以上、本発明の実施の形態について説明したが、本発明の好適な実施の態様を以下のとおり列挙する。
［実施態様１］  光磁気記録媒体に磁界を印加する磁気ヘッドと、前記磁気ヘッドを先端に保持し、平板状で弾性変形部を形成した支持部と、前記支持部の前記弾性変形部よりも後方を変位させる駆動部とを備え、前記支持部において前記弾性変形部よりも後方の変位により前記弾性変形部の前方を下降／上昇させることにより、前記磁気ヘッドの前記媒体上へのロード／アンロード動作を行うことを特徴とする磁気ヘッド支持機構。
［実施態様２］  前記支持部は、磁気ヘッドを先端に保持した第１の支持部と、それに結合され、中央で連結された２つの部分から成る、平板状で弾性変形部を形成した第２の支持部とを含み、前記第２の支持部は、中心線から両側に下降傾斜する山型形状か両側に上昇傾斜する谷型形状であり、前記弾性変形部に屈曲部を形成し、それぞれの屈曲部は、磁気ヘッドが光磁気記録媒体上へのロード／アンロード動作時に描く円弧状軌跡を含む平面に対して垂直ではない折り曲げ線を有することを特徴とする実施態様１に記載の磁気ヘッド支持機構。
［実施態様３］  前記屈曲部における折り曲げ線は、固定されておらず磁気ヘッドのロード／アンロード動作に伴って変位可能であることを特徴とする実施態様２に記載の磁気ヘッド支持機構。
［実施態様４］  前記第２の支持部は、２つの部分の前記屈曲部よりも後方が広げられることにより変位することを特徴とする実施態様２又は３に記載の磁気ヘッド支持機構。
［実施態様５］  前記第２の支持部は、２つの部分の前記屈曲部よりも後方が中心線の回りに回動変位することを特徴とする実施態様２又は３に記載の磁気ヘッド支持機構。
［実施態様６］  実施態様１に記載の磁気ヘッド支持機構と、光磁気記録媒体に光ビームを照射する光ピックアップと、を備えたことを特徴とする光磁気記録装置。
【００６２】
【発明の効果】
以上説明したように、本発明は、磁気ヘッドの支持部の剛性を高め、振動や衝撃に対する磁気ヘッドの変位を低減し、アンロード動作を行う際に必要な駆動電力が増大することがなく、磁気ヘッドの磁界発生面の面積を低減でき、情報信号の記録速度を向上することが可能である。また光磁気記録装置の高さを低減することができる。
【図面の簡単な説明】
【図１】本発明の第１の実施形態における磁気ヘッド支持機構のロード状態を示す図
【図２】同じく磁気ヘッド支持機構のアンロード状態を示す図
【図３】同じく磁気ヘッド支持機構のロード状態を示す斜視図
【図４】同じく磁気ヘッド支持機構のアンロード状態を示す斜視図
【図５】同じく磁気ヘッド支持機構の第２の支持部の応力状態を示す概略図
【図６】本発明の第２の実施形態における磁気ヘッド支持機構のロード状態を示す図
【図７】同じく磁気ヘッド支持機構のアンロード状態を示す図
【図８】同じく磁気ヘッド支持機構のロード状態を示す斜視図
【図９】同じく磁気ヘッド支持機構のアンロード状態を示す斜視図
【図１０】従来の技術における磁気ヘッド支持機構のロード状態を示す図
【図１１】同じく磁気ヘッド支持機構のアンロード状態を示す図
【図１２】同じく磁気ヘッド支持機構のロード状態の拡大図
【符号の説明】
１  カートリッジ
２  光磁気ディスク
３  磁気ヘッド
４  支持機構
５  光ピックアップ
６  開口
７  連結部材
８  駆動手段
９  第１の支持部
１０，１０ａ，１０ｂ  第２の支持部
１１  ベース板
１２  結合部材
１３  磁極
１４  中心線
１５  連結部
１６ａ，１６ｂ  屈曲部
１７ａ，１７ｂ  支持板
２０  付勢バネ
２４  駆動シャフト
【図１】
2004227687.tif 000003
【図２】
2004227687.tif 000004
【図３】
2004227687.tif 000005
【図４】
2004227687.tif 000006
【図５】
2004227687.tif 000007
【図６】
2004227687.tif 000008
【図７】
2004227687.tif 000009
【図８】
2004227687.tif 000010
【図９】
2004227687.tif 000011
【図１０】
2004227687.tif 000012
【図１１】
2004227687.tif 000013
【図１２】
2004227687.tif 000014